【手続補正書】
【提出日】平成17年5月20日(2005.5.20)
【手続補正１】
【補正対象書類名】明細書
【補正対象項目名】特許請求の範囲
【補正方法】変更
【補正の内容】
【特許請求の範囲】
【請求項１】
水浄化のための装置であって、支持ハウジング（１１０）と、電力手段（１１１）と、未濾過水導管（２３，３２）と、濾過水分配出口（７７，７８）と、入口と出口の間に設けられたフィルター（６０）と、フィルターを通して水を駆動させる手段と、からなり、水を駆動させる手段は一定量率の流れを保証する手段（７６）であり、前記装置は、さらに、フィルターの設置からの経過時間を計数する手段（９９）と、フィルターを通過した水量をモニタリングする手段（９９）と、流れおよび使用制御装置とを含むことを特徴とする水浄化のための装置。
【請求項２】
前記計数する手段および／または前記モニタリングする手段によって、ある閾値、または連続的に増加する多数の閾値のいずれか一つの閾値、または所定の閾値に達したというデータが得られた際に、使用者に知らしめる手段を前記流れおよび使用制御装置が備えている請求項１記載の水浄化のための装置。
【請求項３】
前記計数する手段および／または前記モニタリングする手段によって、ある閾値、または多数の連続的に増加する閾値のうちの最高値、または所定の閾値に達したというデータが得られた際に、フィルターを通過した水の流れを自動的に防止する手段を前記流れおよび使用制御装置が備えている請求項１記載の水浄化のための装置。
【請求項４】
前記フィルター（６０）は、デプスフィルター層（９１、９１’）と、微細孔膜手段（９２、９２’）を備えている請求項１記載の水浄化のための装置。
【請求項５】
前記未濾過水導管の入口は、未濾過入口水ボトル（２０）を受け入れるために入口ボトルホルダー２１に設けられており、定量比率で水を駆動する手段は、交換可能なガス圧シリンダー（１０）を搭載可能なシリンダーホルダー（１１）と、シリンダーホルダー内に収容されたガス放出機構（１５）、流量調節器（７６）、シリンダーホルダーと入口ボトルホルダーとフィルターと流量調節器を連続的に連結するための導管（１６，３２，７７）を備えており、フィルター（６０）はフィルターベース（３５）とフィルターベースに収容された交換可能なフィルターユニット（５０）を備えており、前記装置は、さらに、前記導管によって前記フィルターに連結した、分配水ホルダー（７８）および分配水ボトル（８１）を備えている請求項１記載の水浄化のための装置。
【請求項６】
流量調節器（７６）がフィルターユニットの一部である請求項５記載の水浄化のための装置。
【請求項７】
流量調節器（７６）がフィルターユニットの出口に連結されている請求項５記載の水浄化のための装置。
【請求項８】
交換可能なガスシリンダー（１０）が、圧力下で二酸化炭素を含む請求項５記載の水浄化のための装置。
【請求項９】
入口ボトル（２０）が１０気圧程度の内部気圧にも耐え得る請求項５記載の水浄化のための装置。
【請求項１０】
シリンダーホルダー（１１）は、液体ばっ気装置内でガス圧シリンダーを受け入れるために適用されるシリンダーホルダーである請求項５記載の水浄化のための装置。
【請求項１１】
前記ガス放出機構がオペレーターに直接制御される請求項５記載の水浄化のための装置。
【請求項１２】
前記ガス放出機構は、差動するたびに、ガスシリンダーからのガスの所定分量を放出するように設定された分量ユニット（６２）である請求項５記載の水浄化のための装置。
【請求項１３】
前記シリンダーホルダーは、ガス出口（１６）と該ガス出口に適合するガスプレフィルター（１７）を備えている請求項５記載の水浄化のための装置。
【請求項１４】
前記入口ボトルホルダーが支持構造体に枢着されている請求項５記載の水浄化のための装置。
【請求項１５】
入口ボトルホルダーがガス入口（２２）と、水出口（２３）と、排気弁（２６）と、安全弁（２７）を含む請求項５記載の水浄化のための装置。
【請求項１６】
前記装置内に挿入された未濾過水ボトルの数を計数する手段（２８）を備える請求項５記載の水浄化のための装置。
【請求項１７】
フィルターベース（３５）は、入口（３６）と、出口（３８）と、フィルターユニットを介して水を流すための手段を備えている請求項５記載の水浄化のための装置。
【請求項１８】
紫外線（ＵＶ）管（４２）が、前記フィルターベースの前記入口と前記出口との間に挿入されている請求項１７記載の水浄化のための装置。
【請求項１９】
フィルターを通過した水の流れを自動的に防止する手段が、フィルター遮断機構を備えている請求項３記載の水浄化のための装置。
【請求項２０】
プレフィルター（１７）が、前記シリンダーホルダーの出口に固定されている請求項５記載の水浄化のための装置。
【請求項２１】
前記浸漬チューブ（２４）が、前記入口水ボトルに設けられている請求項５記載の水浄化のための装置。
【請求項２２】
前記浸漬チューブ（２４）の入口端には、フィルターが設けられている請求項２１記載の水浄化のための装置。
【請求項２３】
前記入口ボトルホルダー（２１）には、排気弁（２６）と、安全弁（２７）とが設けられている請求項５記載の水浄化のための装置。
【請求項２４】
前記入口ボトルホルダー（２１）には、ボトル挿入数を計測するためのカウンター（２８）が設けられている請求項５記載の水浄化のための装置。
【請求項２５】
前記フィルターユニット（５０）が多数のフィルター部材（６０）を具備し、そのそれぞれがデプスフィルター手段（９１、９１’）と微細孔膜手段（９２、９２’）とを含む請求項５記載の水浄化のための装置。
【請求項２６】
前記フィルター部材が、前記フィルターユニットの上部チャンバーと下部チャンバーとの間に介在するプレート（６１）上に装着されている請求項２５記載の水浄化のための装置。
【請求項２７】
前記流れおよび使用制御装置が電子装置である請求項１記載の水浄化のための装置。
【請求項２８】
前記流れおよび使用制御装置が、ＣＰＵと、所定の初期時点からの経過時間を計測する手段と、前記フィルターを通過した水量を所望の正確性をもって測定する手段と、前記計測手段のカウントと前記測定手段の読みと所定の操作プログラムとの間の関係により示される前記フィルターの状態を指示する可視信号を生成、表示するための手段とからなる請求項２２記載の水浄化のための装置。
【請求項２９】
前記流れおよび使用制御装置は、前記計測手段の前記カウントが所定の閾値に達したとき、水流の前記フィルター通過を防止するための手段を更に具備してなる請求項２８記載の水浄化のための装置。
【請求項３０】
前記初期時点が、前記フィルターの設置からカウントされる時点である請求項２８記載の水浄化のための装置。
【請求項３１】
前記フィルターを通過した水量を測定する手段が、前記流量調節器から独立して区別されている請求項２８記載の水浄化のための装置。
【請求項３２】
一定量率でフィルターを通過させて水を駆動する手段は、未濾過水に圧力を提供する手段と、前記圧力の変動に関係なく水量率を制御する手段とを備えている請求項１記載の水浄化のための装置。
【請求項３３】
未濾過水用の第１の容器を提供し、濾過水用の第２の容器を提供し、未濾過水に圧力を提供する水の浄化方法であって、該水の浄化方法は、さらに、１）フィルター手段を通過するようにして、前記第１の容器から前記第２の容器へ所望量の水を圧力駆動し、２）一定量で水流率を維持し、３）一定量の濾過水を分配し、４）所望回数だけ１）〜３）の操作を繰返し、５）所定の時点からの経過時間を計数し、６）フィルター手段を通過した水量をモニタリングし、７）前記時間または前記水量が所定の閾値に達した際にフィルター手段を交換する水の浄化方法。
【請求項３４】
デプスフィルター手段と微細孔膜手段とを通過するようにして、前記第１の容器から前記第２の容器へ所望量の水を駆動させる請求項３３記載の水の浄化方法。
【請求項３５】
前記所定の時点が、前記フィルター手段が設置された時点である請求項３３記載の水の浄化方法。
【請求項３６】
前記所定の時点からの時間又は前記水量が所定の閾値に到達したとき、前記フィルター手段を通る水流を自動的に防止させる工程を含む請求項３３記載の水の浄化方法。
【請求項３７】
一方において時間、他方において水量の少なくとも一対の閾値を含む操作プログラムを確立する工程と、常時又は所定時間間隔でフィルターの条件を発信し、該条件が前記操作プログラムのどこに位置しているかを使用者に知らしめる工程とを更に含む請求項３３記載の水の浄化方法。
【請求項３８】
前記操作プログラムは、異なって連続的に増大する時間および水量の対の閾値を含む請求項３７記載の水の浄化方法。